(57)【要約】【課題】細菌類の空気感染を防止することができる手術室用手術用照明装置及びこれを備えた手術室を提供する。【解決手段】手術室用手術用照明装置１０は、軸線方向Ｏに延びる支持軸１１０と、該支持軸１１０に沿って設けられた中心照明体１２０と、前記支持軸１１０から径方向Ｒ外側に向かって延びる支持フレーム体１３０と、該支持フレーム体１３０に設けられた周囲照明体１４０と、前記支持軸１１０、前記中心照明体１２０、前記支持フレーム体１３０及び前記周囲照明体１４０の間に形成され、上方から吹き降ろされた清浄空気を通過させる間隙部１５０，１５０…とを備えることを特徴とする。【選択図】図２
2014210091.tif 000002
【特許請求の範囲】
【請求項１】
軸線方向に延びる支持軸と、
該支持軸に沿って設けられた中心照明体と、
前記支持軸から径方向外側に向かって延びる支持フレーム体と、
該支持フレーム体に設けられた周囲照明体と、
前記支持軸、前記中心照明体、前記支持フレーム体及び前記周囲照明体の間に形成され、上方から吹き降ろされた清浄空気を通過させる間隙部とを備えることを特徴とする手術用照明装置。
【請求項２】
前記支持フレーム体は、前記支持軸から前記径方向に延びる複数の支持フレームを有し、
前記周囲照明体は、複数の前記支持フレームにそれぞれ設けられ、
複数の前記支持フレームは、周方向に等間隔に配置されていることを特徴とする請求項１に記載の手術用照明装置。
【請求項３】
前記中心照明体及び前記周囲照明体は、照明ユニットを複数有し、
前記中心照明体の複数の前記照明ユニットのうち、上側に配置された上側ユニットは、該上側ユニットの下方に配置された下側ユニットよりも、前記径方向外側に配置され、
前記上側ユニットと前記下側ユニットとの間には、上方から下方に向かうにしたがって前記径方向外側に向かって延びる空気流路が形成されていることを特徴とする請求項１または請求項２に記載の手術用照明装置。
【請求項４】
前記照明ユニットには、ＬＥＤが実装されたＬＥＤ基板が設けられていることを特徴とする請求項３に記載の手術用照明装置。
【請求項５】
前記支持フレーム体には、内部に線状部材を収容可能な収容空間部が形成されていることを特徴とする請求項１から請求項４のいずれか一項に記載の手術用照明装置。
【請求項６】
請求項１から請求項５のいずれか一項に記載の手術用照明装置と、
該手術用照明装置の上方に設けられ、清浄空気を供給する空気清浄装置とを備えることを特徴とする手術室。
【発明の詳細な説明】
【技術分野】
【０００１】
本発明は、手術室用照明装置及びこれを備えた手術室に関するものである。
【背景技術】
【０００２】
一般に、病院の手術室では、手術を受ける患者に対して空気を媒介とする細菌類の感染を防止するために、バイオクリーン手術室が採用されている。手術に携わる執刀医等からの発塵に含まれる細菌類又はこの細菌類が付着した空気中に浮遊する粒子が、患者の手術部分に達して付着することにより、空気を媒介とする感染が起こる。そこで、バイオクリーン手術室では、手術室の天井吹出口から、空気中の粒子や細菌類を含まない清浄な空気を吹き出すものである。
【０００３】
このようなバイオクリーン手術室の一例として、天井面に設けられた層流ユニットと、この層流ユニットの下方に設けられた無影灯と、この無影灯の下方に設けられた手術台とを備えるブース型クリーンユニットが提案されている（下記特許文献１参照）。このブース型クリーンユニットは、層流ユニットに設けられた多孔のパンチング板で形成された層流発生板を通過した浄化空気が、下方に向かって供給される。
【先行技術文献】
【特許文献】
【０００４】
【特許文献１】特開２００４−２４５５６２号公報
【発明の概要】
【発明が解決しようとする課題】
【０００５】
しかしながら、上記の特許文献１に記載のブース型クリーンユニットでは、層流ユニットから下方に向かって供給された浄化空気が無影灯に当たるため、この無影灯の下方では負圧状態になる。よって、無影灯の下方では、周囲の空気を無影灯の下方に向かって引き寄せる空気の流れが形成される。したがって、引き寄せられた空気に細菌類が含まれている場合には、無影灯の下方に設けられた手術台の上に横たわる患者の手術部分に細菌類が付着してしまうという問題点がある。
【０００６】
そこで、本発明は、上記事情に鑑みてなされたものであり、細菌類の空気感染を防止することができる手術室用照明装置及びこれを備えた手術室を提供する。
【課題を解決するための手段】
【０００７】
上記目的を達成するために、本発明は以下の手段を採用している。
すなわち、本発明に係る手術室用照明装置は、軸線方向に延びる支持軸と、該支持軸に沿って設けられた中心照明体と、前記支持軸から径方向外側に向かって延びる支持フレーム体と、該支持フレーム体に設けられた周囲照明体と、前記支持軸、前記中心照明体、前記支持フレーム体及び前記周囲照明体の間に形成され、上方から吹き降ろされた清浄空気を通過させる間隙部とを備えることを特徴とする。
【０００８】
このように構成された手術室用照明装置では、例えば手術室用照明装置の上方から吹き降ろされた清浄空気が供給されると、この清浄空気は手術室用照明装置の支持軸、中心照明体、支持フレーム及び周囲照明体の間に形成された間隙部を通過する。この際、間隙部を上方から下方に向かって流れる清浄空気の流れ（風量、流速）を確実に確保することができる。よって、手術用照明装置の下方ではこの清浄空気の流れが形成されているため、これと逆らうように汚染空気が手術用照明装置の下方に流入することはない。したがって、細菌類の空気感染を防止することができる。
【０００９】
また、本発明に係る手術室用照明装置は、前記支持フレーム体は、前記支持軸から前記径方向に延びる複数の支持フレームを有し、前記周囲照明体は、複数の前記支持フレームにそれぞれ設けられ、複数の前記支持フレームは、周方向に等間隔に配置されていることが好ましい。
【００１０】
このように構成された手術室用照明装置では、清浄空気は、支持軸から径方向に延びる複数の支持フレームに沿って流れつつ、複数の支持フレーム間に形成された間隙部を通過して下方に向かって流れる。また、複数の支持フレームは、周方向に等間隔に配置されているため、清浄空気は周方向にわたって均等に流れる。
【００１１】
また、本発明に係る手術室用照明装置は、前記中心照明体及び前記周囲照明体は、照明ユニットを複数有し、前記中心照明体の複数の前記照明ユニットのうち、上側に配置された上側ユニットは、該上側ユニットの下方に配置された下側ユニットよりも、前記径方向外側に配置され、前記上側ユニットと前記下側ユニットとの間には、上方から下方に向かうにしたがって前記径方向外側に向かって延びる空気流路が形成されていてもよい。
【００１２】
このように構成された手術室用照明装置では、空気流路に沿って、上方から下方に向かうにしたがって径方向外側に向かう清浄空気の流れを形成することができる。
【００１３】
また、本発明に係る手術室用照明装置は、前記照明ユニットには、ＬＥＤが実装されたＬＥＤ基板が設けられていてもよい。
【００１４】
このように構成された手術室用照明装置では、ＬＥＤは一般的なハロゲンランプ等より発熱しにくいため、ハロゲンランプを使用した場合よりも上昇気流の発生を抑制して、乱流の発生を抑制することができる。よって、上方から下方に向かう清浄空気の流れを確実に形成することができる。
【００１５】
また、本発明に係る手術室用照明装置は、前記支持フレーム体には、内部に線状部材を収容可能な収容空間部が形成されていてもよい。
【００１６】
このように構成された手術室用照明装置では、例えば中心照明体や周囲照明体に接続された電源線（線状部材）は、支持フレーム体内の収容空間部に収容される。よって、露出した電源線により、清浄空気の流れが乱れることを防止することができる。
【００１７】
また、本発明に係る手術室は、上記のいずれか一に記載の手術用照明装置と、該手術用照明装置の上方に設けられ、清浄空気を供給する空気清浄装置とを備えることを特徴とする。
【００１８】
このように構成された手術室では、上方から下方に向かって流れる清浄空気の流れ（風量、流速）を確実に確保することができる。よって、手術用照明装置の下方ではこの清浄空気の流れが形成されているため、これと逆らうように汚染空気が手術用照明装置の下方に流入することはない。したがって、細菌類の空気感染を防止することができる。
【発明の効果】
【００１９】
本発明に係る手術室用照明装置及びこれを備えた手術室によれば、細菌類の空気感染を防止することができる。
【図面の簡単な説明】
【００２０】
【図１】本発明の一実施形態に係る手術室の（ａ）は断面図、（ｂ）は下方視した模式的図である。
【図２】本発明の一実施形態に係る手術室を構成する手術用照明装置の（ａ）は側面図、（ｂ）は下方視図である。
【図３】本発明の一実施形態に係る手術室を構成する手術用照明装置の（ａ）は一の照明ユニット（縦継手型ＬＥＤユニット）の縦断面、（ｂ）は一の照明ユニット（縦継手型ＬＥＤユニット）の下方視図、（ｃ）は他の照明ユニット（横継手型ＬＥＤユニット）の縦断面図である。
【図４】本発明の一実施形態に係る手術室を構成する手術用照明装置の支持体の（ａ）は側面図、（ｂ）は下方視図である。
【図５】本発明の一実施形態の実施例に係る手術室の模式的な縦断面図である。
【図６】本発明の一実施形態の実施例に係る空隙率と汚染範囲の関係を示す図である。
【図７】本発明の一実施形態の実施例、比較例において、周囲発塵の測定点と清浄度の関係を示すグラフである。
【図８】本発明の一実施形態の実施例、比較例において、周囲発塵及び手術時発塵の測定点と清浄度の関係を示すグラフである。
【発明を実施するための形態】
【００２１】
本発明の一実施形態に係る手術室について説明する。
図１に示すように、手術室１は、平面視略長方形状に形成され、床部１１と、床部１１に上下方向に延びるように設けられた４枚の壁部１２と、４枚の壁部１２の上端を連結するように形成された天井部１３とを有している。
【００２２】
４枚の壁部１２は、手術室１の長手方向に沿って延びるとともに互いに対向する一対の壁部１２Ａ，１２Ａと、手術室１の短手方向に沿って延びるとともに互いに対向する一対の壁部１２Ｂ，１２Ｂとで構成されている。
【００２３】
壁部１２及び天井部１３には、手術室１内の空気を手術室１外に排出する貫通孔である排気口１６Ａ，１６Ｂがそれぞれ設けられている。排気口１６Ａは、壁部１２の下側に、長手方向に沿って７個設けられている。また、排気口１６Ｂは、天井部１３における壁部１２Ａ近傍に長手方向に沿って５個設けられている。
【００２４】
また、天井部１３には、手術室１内に清浄空気を供給する空気清浄装置２が設けられている。
空気清浄装置２は、清浄空気を供給するファン（不図示）と、ファンから送られた空気を濾過するフィルタ２１と、清浄空気を手術室１内に吹出す吹出口２２と、吹出口２２に設けられた複数の案内羽根２３とを有している。
【００２５】
この案内羽根２３は、上方から下方に向かうにしたがって、中心から外側に向かうように傾斜している。
【００２６】
この空気清浄装置２の下方には、手術用照明装置１０（以下、単に「照明装置１０」と称する。）が設けられている。また、照明装置１０の下方には、手術台５が設けられている。
【００２７】
図２に示すように、照明装置１０は、天井部１３（図１参照、以下同じ。）等に支持されたアーム１００と、アーム１００に連結され軸線方向Ｏ（上下方向）に延びる支持軸１１０と、支持軸１１０に沿って設けられた中心照明体１２０と、支持軸１１０から径方向Ｒ外側に向かって設けられた支持フレーム体１３０と、支持フレーム体１３０に設けられた複数の周囲照明体１４０，１４０…とを備えている。
【００２８】
アーム１００は、上下方向又は水平方向に延びる複数の部材（不図示）が連結されて構成され、上端が天井部１３における空気清浄装置２（図１参照、以下同じ。）が設けられてない部分（不図示）に固定され、下端が支持軸１１０に固定されている。
【００２９】
支持軸１１０は、アーム１００から下方に向かって延びている。この支持軸１１０の下端には、下方に向かって延びる軸ハンドル１１１が設けられている。この軸ハンドル１１１を操作することで、照明装置１０の高さ及び向きを変更することができる。
【００３０】
図２および図３に示すように、中心照明体１２０は、６個の縦継手型ＬＥＤユニット２０１，２０１…（照明ユニット、下側ユニット）と、６個の横継手型ＬＥＤユニット２０２，２０２…（照明ユニット、上側ユニット）とを有している。
【００３１】
なお、本実施形態では、中心照明体１２０の縦継手型ＬＥＤユニット２０１は、横継手型ＬＥＤユニット２０２よりも下方に配置された下側ユニットを構成している。また、中心照明体１２０の横継手型ＬＥＤユニット２０２は、上側ユニットを構成している。
【００３２】
６個の縦継手型ＬＥＤユニット２０１，２０１…は、支持軸１１０の周方向Ｔに沿って等間隔に配置されている。また、６個の横継手型ＬＥＤユニット２０２，２０２…も、支持軸１１０の周方向Ｔに沿って等間隔に配置されている。
【００３３】
横継手型ＬＥＤユニット２０２は、縦継手型ＬＥＤユニット２０１よりも径方向Ｒ外側且つ上方に配置されている。本実施形態では、横継手型ＬＥＤユニット２０２は、隣接する縦継手型ＬＥＤユニット２０１の境界線上の径方向Ｒ外側に配置されている。これにより、横継手型ＬＥＤユニット２０２と隣接する縦継手型ＬＥＤユニット２０１との間には、上方から下方に向かうにしたがって径方向Ｒ外側に延びる空気流路Ｓが形成されている。
【００３４】
図３（ａ），（ｂ）に示すように、縦継手型ＬＥＤユニット２０１は、平面視略円形状に形成され、ＬＥＤ２１１が実装されたＬＥＤ基板２１２と、ＬＥＤ基板２１２に沿って設けられた光透過体２１３と、ＬＥＤ基板２１２及び光透過体２１３を覆うように設けられた蓋２１４とを有している。さらに、縦継手型ＬＥＤユニット２０１は、蓋２１４に設けられた縦継手２１５と、蓋２１４の内部に設けられた反射板２１６と、ＬＥＤ基板２１２に接続された電源線２１８とを有している。
なお、縦継手２１５の内部に上下方向に貫通孔（不図示）が形成され、この貫通孔に電源線２１８が挿通され、縦継手２１５の上端から電源線２１８が取り出される構成であってもよい。
【００３５】
ＬＥＤ基板２１２には、本実施形態では平面視略円形状に形成され、１個のＬＥＤ２１１が実装されている。光透過体２１３は、平面視略環状の部材であって、ＬＥＤ基板２１２の外周側に設けられている。本実施形態では、縦継手型ＬＥＤユニット２０１の光束は８５ルーメンであり、１ｍの距離で光輪郭の直径１００ｍｍであり、中心照度５，４００ｌｘである。
【００３６】
蓋２１４は、光透過体２１３の外縁から立設された立設壁部２１４Ａと、この立設壁部２１４Ａの上端からＬＥＤ基板２１２の平面視中心側に向かうにしたがって上方に向かうように形成された上壁部２１４Ｂとを有している。
【００３７】
縦継手２１５は、蓋２１４の上壁部２１４Ｂの上端から上方に向かって延び、先端が略球体状をなしている。この縦継手２１５の先端は、支持フレーム体１３０に形成された図示しない凹部等に回転可能に挿入固定されている。これにより、縦継手２１５の凹部に対する角度を調整することで、縦継手型ＬＥＤユニット２０１を支持フレーム体１３０に対して所望の角度に傾斜させて取り付けることができる。
【００３８】
反射板２１６は、平面視略円形状に形成されて、蓋２１４の内周面に沿って設けられている。この反射板２１６は、平面視中心側に向かうにしたがって上方に向かうように、上側に凸の曲面状に形成されている。この構成により、ＬＥＤ２１１から発せられる光線が反射板２１６で、光角度２．６°の下向きの平行光線として発散される。
【００３９】
この蓋２１４の外面は、流線型で形成されている。これにより、気流の乱れの発生が防止される。
【００４０】
また、本実施形態では、縦継手型ＬＥＤユニット２０１は、直径１００ｍｍ以下のサイズである。また、縦継手型ＬＥＤユニット２０１の光面サイズは、直径５０〜６０ｍｍであることが望ましい。
【００４１】
横継手型ＬＥＤユニット２０２は、横継手２２５が立設壁部２１４Ａに設けられている点を除いて、縦継手型ＬＥＤユニット２０１と構成が同じであるため、説明を省略する。
【００４２】
図２及び図４に示すように、支持フレーム体１３０は、支持軸１１０から径方向Ｒ外側に向かって放射状に延びる６本の中空パイプ（支持フレーム）１３１，１３１…を有している。これら６本の中空パイプ１３１，１３１…は、周方向Ｔに等間隔に配置されている。また、中空パイプ１３１の径方向Ｒ外側に端部は、それぞれ環状のパイプリング１３２で互いに連結されている。
【００４３】
この中空パイプ１３１の径方向Ｒ途中部分には、垂下する回転支持材１３３が設けられている。また、中空パイプ１３１の径方向Ｒ外側に端部には、垂下する外側支持材１３４が設けられている。
【００４４】
パイプリング１３２には、径方向Ｒ外側に補助ハンドル１３５が設けられている。この補助ハンドル１３５を、支持軸１１０に設けられた軸ハンドル１１１とともに操作することで、照明装置１０の高さ及び向きを変更することができる。
また、パイプリング１３２には、径方向Ｒ外側に可変用ハンドル１３６が設けられている。
【００４５】
本実施形態では、中空パイプ１３１は直径２０ｍｍのアルミ製の直管パイプであり、パイプリング１３２は直径３０ｍｍのアルミ製の環状パイプである。中空パイプ１３１は、一端が支持軸１１０に溶接で固定されるとともに、他端がパイプリング１３２に溶接で固定されている。
【００４６】
これら中空パイプ１３１及びパイプリング１３２は、パイプで形成されているため、内部が空洞とされている。この内部は、電源線２１８（図３参照）や周囲照明体１４０に接続された可変用ワイヤ等の線状部材を収容可能な収容空間部１３９とされている。
【００４７】
周囲照明体１４０，１４０…は、６本の中空パイプ１３１，１３１…にそれぞれ設けられている。本実施形態では、周囲照明体１４０は、中空パイプ１３１から垂下する回転支持材１３３に接続され、径方向Ｒに向かって延びる横支持材１６０に設けられた５個の横継手型ＬＥＤユニット２０２を有している。
【００４８】
５個の横継手型ＬＥＤユニット２０２は、平面視で互い離れて、例えばこれら５個の横継手型ＬＥＤユニット２０２を頂点として略正五角形を形成するように配置されている。これにより、隣り合う横継手型ＬＥＤユニット２０２，２０２…の間には、間隙が設けられている。
【００４９】
これら横継手型ＬＥＤユニット２０２を支持する横支持材１６０の端部には、可変用ワイヤ（不図示、以下同じ。）が外側支持材１３４の内部で接続されている。この可変用ワイヤは、外側支持材１３４及びパイプリング１３２の内部を通過して、可変用ハンドル１３６に接続されている。この構成により、パイプリング１３２に設けられた可変用ハンドル１３６を操作することで、操作力が可変用ワイヤを介して横継手型ＬＥＤユニット２０２に伝達される。これにより、周囲照明体１４０は、光輪郭サイズを直径１２０〜２２０ｍｍ調整することができる。
【００５０】
支持軸１１０、中心照明体１２０、支持フレーム体１３０及び周囲照明体１４０の間には、間隙部１５０が形成されている。この間隙部１５０は、空気清浄装置２の吹出口２２から吹き降ろされた清浄空気を下方に向かって通過させる。
【００５１】
また、支持軸１１０、中心照明体１２０、支持フレーム体１３０及び周囲照明体１４０の外端輪郭線で囲まれた部分の水平面への投影面積に対する支持軸１１０、中心照明体１２０、支持フレーム体１３０及び周囲照明体１４０の間に形成される間隙部１５０の水平面への投影面積の割合（以下、「空隙率」とする）は、０．５２以上、本実施形態では０．６１とされている。
【００５２】
このように構成された手術室１では、照明装置１０の上方に設けられた空気清浄装置２の吹出口２２から清浄空気が供給されると、照明装置１０の中心部では、この清浄空気は、空気流路Ｓに沿って、上方から下方に向かうにしたがって径方向Ｒ外側に向かって流れる。また、照明装置１０のその他の部分では、清浄空気は、間隙部１５０を上方から下方に向かって流れる。よって、照明装置１０の下方ではこの清浄空気の流れが確実に確保されるため、照明装置１０の下方に負圧の渦域が形成されることがない。したがって、汚染空気が照明装置１０の下方に流入することはないため、照明装置１０の下方に配置された手術台５への細菌類の空気感染を防止することができる。
【００５３】
また、照明装置１０の複数の中空パイプ１３１は、周方向Ｔに等間隔に配置されているため、清浄空気は周方向Ｔにわたって均等に流れる。よって、照明装置１０の中心から径方向Ｒ外側且つ下方に向かって流れる清浄空気の流れが、周方向Ｔにわたって均等に形成される。よって、照明装置１０の下方に配置された手術台５の周りのいずれの方向からも、手術台５に向かって細菌類が流入することを抑制することができる。
【００５４】
また、ＬＥＤ２１１は一般的なハロゲンランプ等より発熱しにくいため、ハロゲンランプを備える照明装置よりも上昇気流の発生を抑制して、乱流の発生を抑制することができる。よって、上方から下方に向かう清浄空気の流れが、確実に形成される。
【００５５】
また、例えば中心照明体１２０や周囲照明体１４０に接続された電源線２１８等は、支持フレーム体１３０内の収容空間部１３９に収容される。よって、露出した電源線２１８等により、清浄空気の流れが乱れることを防止することができる。
さらに、電源線２１８が、縦継手２１５に形成された貫通孔に挿通され、縦継手２１５の上端から取り出される構成の場合は、電源線２１８を照明装置１０の内部に完全に収納することができ、清浄空気の流れが乱れを一層防止することができる。
【００５６】
（実施例、比較例）
まず、空隙率と汚染範囲との関係を以下に示す。
図５に示すように、実施例として、上部にファンフィルタユニット３００が設けられた垂直整流型クリーンルームを採用する。この垂直整流型クリーンルームでは、気流が流速０．３５ｍ／ｓとされ、直径６００ｍｍのアルミパイプリング内に直径６０ｍｍのアルミ板が敷き詰められた模擬灯体３０１を取り付ける。また、発塵点は、模擬灯体３０１の下方１００ｍｍ且つ模擬灯体３０２から水平方向にＤｍｍ離間した位置としたＡ点、Ｂ点とした。Ａ点はＤ＝３００であり、Ｂ点はＤ＝１００ｍｍである。また、測定点Ｅは、模擬灯体の下方１０００ｍｍとした。
【００５７】
上記の模擬灯体３０１では、空隙率を０％，４１％，５２，５９％に変更させて、測定点Ｅにおける汚染結果を図６に示す。
【００５８】
図６によると、模擬灯体３０１の空隙率０％の場合には、汚染範囲Ｆが直径１２００ｍｍに及ぶことが分かる。また、この汚染範囲Ｆは、発塵点がＡ点である場合とＢ点である場合において相違はない。
【００５９】
また、模擬灯体３０１の空隙率が４１％〜５９％の場合には、空隙率が大きくなるにしたがって汚染範囲Ｆが徐々に小さくなることが分かる。具体的には、発塵点がＡ点である場合、空隙率が４１％の場合には汚染範囲Ｆは８００×６００ｍｍであり、空隙率が５２％の場合には汚染範囲Ｆは無いことが分かる。また、空隙率が５９％の場合には、発塵点がＡ点であってもＢ点であっても、汚染範囲Ｆが最小となっていることが分かる。つまり、空隙率が５２％では空隙率が４１％よりも汚染範囲Ｆが顕著に小さくなっているため、空隙率が５２％以上であることが好ましい。この場合には、模擬灯体３０１の下方に負圧の渦域が形成されていないことが分かる。
ここで、上記に示す実施形態では、空隙率が６１％であるため、周囲の汚染空気を誘引して中心部へ伝播するおそれはない。
【００６０】
次に、照明装置と清浄度との関係を以下に示す。
図１に示す空気清浄装置２は、１時間当たり、手術室１の気積の約１６倍以上の温湿度調整された清浄空気を、手術室１内に供給する。また、排気口１６Ａから排出される排気量と、排気口１６Ｂから排出される排気量とは、略同量である。
【００６１】
空気清浄装置２は、羽根の無い中央部吹出し風速は０．４７ｍ／ｓとし、案内羽根２３間の吹出し風速は０．４〜０．７ｍ／ｓとした。羽根角度を７４〜８６°として、執刀医の頭部付近を手術台５から外側へ向かう気流で覆うようにして、発塵を外側へ排除する気流とする。また、手術室１における換気回数は１６回／ｈである。
【００６２】
照明装置１０は、手術台５の上方約１２００ｍｍに取り付けられている。また、実施例として、上記に示す実施形態で示された照明装置１０を採用する。また、比較例として、直径６００ｍｍの円形の模擬一般灯を採用する。
【００６３】
また、実施例、比較例では、それぞれ照明装置１０、模擬一般灯を以下の二つの設置方法で設置して清浄度を測定する。実施例１として、照明装置１０を、測定点Ｘ３の直上に設置する。実施例２として、照明装置１０を２個、水平方向に２３０ｍｍ離間させるとともに、互いに水平方向に離間するにしたがって下方に向かって傾斜するように、天井面から２０°傾斜するように設置する。また。比較例１として、模擬一般灯を、測定点Ｘ３の直上に設置する。比較例１として、模擬一般灯２個を、水平方向に２３０ｍｍ離間させるとともに、互いに水平方向に離間するにしたがって下方に向かって傾斜するように、天井面から２０°傾斜するように設置する。この実施例１及び２、比較例１及び２において、清浄度を測定する。
【００６４】
また、手術台５の直近に、執刀医Ｇを２名、麻酔医Ｈを１名配置する。そして、これら２名の執刀医Ｇ及び１名の麻酔医Ｈの頭部からの発塵を模擬した発塵源より発塵させた場合を、手術時発塵とする。さらに、手術台５周囲Ｉにおける作業等からの発塵を考慮した７人分の発塵させた場合を、手術台周囲発塵（周囲発塵）とする。また、測定点は、手術台５の上方１５０ｍｍの位置とした。なお、発塵量はクリーンスーツ着衣者からの発塵量の最大値である４００，０００個／ｍｉｎ・人（粒子径は０．５μｍ以上）とする。
【００６５】
まず、周囲発塵における清浄度を測定した結果を、図７に示す。
図７に示すように、照明器具なしでは測定点Ｘ３の値が１４４個／ｃｆであった。また、比較例１では、測定点Ｘ３の値が５０５個／ｃｆとなっている。つまり、模擬一般灯は、汚染空気を照明装置１０の下方に吸引して、この汚染空気を手術部分に向かって再放出する源となる二次汚染源となっていることが分かる。
【００６６】
一方、実施例１では、測定点Ｘ３の値が６０個／ｃｆであり、照明器具なしの場合よりも清浄になった。
【００６７】
また、比較例２では、測定点Ｘ３の値が３１６個／ｃｆとなり、比較例１よりも清浄になった。これは、模擬一般灯２個の間から吹き降ろされる清浄空気により模擬一般灯の下方の汚染空気が希釈されたためである。
【００６８】
一方、実施例２では、測定点Ｘ３の値が１６個／ｃｆであり、最も清浄な状態となった。これは、照明装置１０により、清浄空気の大半を下方へ通過させることと合わせて、照明装置１０，１０の間を通過した清浄空気が手術部分に供給されることにより達成されたものである。
【００６９】
次に、周囲発塵に加えて手術時発塵が発生した場合における清浄度を測定した結果を、図８に示す。
図８に示すように、照明器具なしでは測定点Ｘ３の値が１１６〜１４４個／ｃｆであった。また、比較例１では、測定点Ｘ３の値が１，５００個／ｃｆとなっている。
【００７０】
一方、実施例１では、測定点Ｘ３の値が５２個／ｃｆであり、照明器具なしの場合よりも清浄になった。これは、中心部を通過する清浄空気が外向きの流れとなり、周囲汚染空気を排除することにより清浄になったものである。
【００７１】
また、比較例２では、測定点Ｘ３の値が８３９個／ｃｆとなり、比較例１よりも清浄になった。これは、模擬一般灯２個の間から吹き降ろされる清浄空気により灯下の汚染空気が希釈されたためである。
【００７２】
一方、実施例２では、測定点Ｘ３の値が２７個／ｃｆであり、最も清浄な状態となった。これは、照明装置１０により、清浄空気の大半を下方へ通過させることと合わせて、照明装置１０，１０の間を通過した清浄空気が手術部分に供給されることにより達成されたものである。
【００７３】
以上より、手術室１において、在室者１０人が多量に発塵を起こす作業をした場合でも、実施例１，２に係る手術室１では、手術部分を清浄度クラス１０００以下に保つことができる。
【００７４】
なお、上述した実施の形態において示した組立手順、あるいは各構成部材の諸形状や組み合わせ等は一例であって、本発明の主旨から逸脱しない範囲において設計要求等に基づき種々変更可能である。
【符号の説明】
【００７５】
１…手術室
２…空気清浄装置
１０…照明装置（手術室用照明装置）
１１０…支持軸
１２０…中心照明体
１３０…支持フレーム体
１３１…中空パイプ（支持フレーム）
１３９…収容空間部
１４０…周囲照明体
２０１…縦継手型ＬＥＤユニット（照明ユニット、下側ユニット）
２０２…横継手型ＬＥＤユニット（照明ユニット、上側ユニット）
２１１…ＬＥＤ
２１２…ＬＥＤ基板
Ｏ…軸線方向
Ｒ…径方向
Ｓ…空気流路
Ｔ…周方向
【図１】
2014210091.tif 000003
【図２】
2014210091.tif 000004
【図３】
2014210091.tif 000005
【図４】
2014210091.tif 000006
【図５】
2014210091.tif 000007
【図６】
2014210091.tif 000008
【図７】
2014210091.tif 000009
【図８】
2014210091.tif 000010